(57)【要約】【課題】情報ファイルに接続する通信端末を即座に把握できるシステムを合理的に構成する。【解決手段】管理サーバからファイルサーバに接続した際には、ファイルサーバの情報ファイルに対して通信ネットワークを介して接続する通信端末の端末識別情報と、この通信端末が接続する情報ファイルのファイル名とを操作ログ等から取得する。次に、管理サーバ側のモニタに紐付け表示画面６０を表示し、この紐付け表示画面６０のファイル表示領域６０Ｔに情報ファイルに対応するファイルイメージＦを表示し、この紐付け表示画面６０の操作画面表示領域６０Ｕに通信端末のモニタに表示されている操作画面Ｇを表示し、このファイルイメージＦと操作画面Ｇとを結ぶラインイメージＳを表示する。【選択図】図４
2008276515.tif 000002
【特許請求の範囲】
【請求項１】
通信ネットワークに接続する複数の通信端末の操作情報を、この通信ネットワークに接続する管理サーバ側の管理モニタに表示するネットワーク管理システムであって、
前記管理サーバ側には、情報ファイルと、この情報ファイルに接続する通信端末との関係を接続情報として取得する接続情報取得手段を備えると共に、
前記情報ファイルに対応するファイル表示情報を取得し、前記通信端末に対応する端末表示情報を取得し、このファイル表示情報と、端末表示情報と、これらを関連付ける関連付け表示とを前記管理モニタに表示する関連付け表示手段を備えているネットワーク管理システム。
【請求項２】
前記通信端末のモニタに表示されている操作画面を受信して保存する操作画面保存手段を備えると共に、前記関連付け表示手段は、前記操作画面保存手段で保存された操作画面を前記端末表示情報として前記管理モニタに表示する請求項１記載のネットワーク管理システム。
【請求項３】
前記関連付け表示が、前記ファイル表示情報と、前記操作画面とを結ぶラインイメージで構成されている請求項２記載のネットワーク管理システム。
【請求項４】
前記ファイル表示情報が、前記情報ファイルに対応する表示情報として設定される、又は、前記情報ファイルを含むフォルダに対応する表示情報として設定されている請求項１〜３のいずれか一項に記載のネットワーク管理システム。
【請求項５】
前記通信端末の操作情報に基づく操作ログを受信して保存する操作ログ保存部を備え、前記接続情報取得手段は、前記操作ログ保存部で保存された操作ログから、通信端末が接続する情報ファイルのファイル名を含むファイル情報を取得する請求項１〜４のいずれか一項に記載のネットワーク管理システム。
【請求項６】
前記接続情報取得手段が、前記通信ネットワークに接続するファイルサーバから、このファイルサーバに保存されている情報ファイルに接続中の通信端末の端末識別情報と、その通信端末が接続している情報ファイルのファイル名を含むファイル情報とを取得する請求項１〜４のいずれか一項に記載のネットワーク管理システム。
【請求項７】
通信ネットワークに接続する複数の通信端末の操作情報を、この通信ネットワークに接続する管理サーバ側の管理モニタに表示するネットワーク管理用プログラムであって、
情報ファイルと、この情報ファイルに接続する通信端末の関係を接続情報として取得する接続情報取得機能をコンピュータによって実現すると共に、前記情報ファイルに対応するファイル表示情報を設定し、前記通信端末に対応する端末表示情報を設定し、このファイル表示情報と、端末表示情報と、これらを関連付ける関連付け表示とを前記管理モニタに表示する関連付け表示機能をコンピュータによって実現するネットワーク管理用プログラム。
【発明の詳細な説明】
【技術分野】
【０００１】
本発明は、通信ネットワークに接続する複数の通信端末の操作情報を、この通信ネットワークに接続する管理サーバ側の管理モニタに表示するネットワーク管理システム及びネットワーク管理用プログラムに関する。
【背景技術】
【０００２】
上記のように構成されたネットワーク管理システムとして、遠隔制御サーバとクライアント端末（本発明の通信端末）とが通信ネットワークを介して接続され、遠隔制御サーバにおいてクライアント端末からのアクセス要求情報を受け付けた場合には、クライアント端末ではモニタ（本発明の操作情報に対応）に表示されている画像データを遠隔制御サーバ（本発明の管理サーバ）に送信し、遠隔制御サーバでは受信した画像データをモニタに対して縮小し一覧化して表示すると共に、遠隔制御サーバのキャプチャ画像記録手段がクライアント端末の画面をキャプチャ画像として所定のインターバルで操作ログに記録し、この記録の後には、遠隔制御サーバの再生手段が操作ログに記録されたキャプチャ画像の再生を行えるものが存在する（例えば、特許文献１参照）。
【０００３】
この特許文献１では、複数のクライアント端末から送信される画像データを遠隔制御サーバのモニタに表示する際には、夫々の画面の画像データを縮小し、複数の画像データを一覧化して視認できるように表示形態が設定され、管理サーバを管理する者が画像データから操作の内容を把握できるものとなる。
【０００４】
【特許文献１】特開２００６−１０８９４７号公報  （段落番号〔００６５〕〜〔００７７〕、図１〜図５）
【発明の開示】
【発明が解決しようとする課題】
【０００５】
特許文献１に記載されたもののように、通信端末のモニタに表示されている画像データを管理サーバ側の管理モニタに表示するものは、複数の通信端末における操作の状況を視覚によって把握できると云う良好な面を有するものである。しかしながら、この種のシステムでは、管理モニタに表示される画像データのサイズが小さいことが多く、各通信端末においてどのような操作が行われているのか把握し難い面があり改善の余地があった。特に、通信ネットワークには秘匿性が高いものや、改竄を阻止すべき情報ファイルが多く存在するものであり、通信端末がどのような情報ファイルに接続して（開いて）いるのか的確に把握したい面もあった。
【０００６】
複数の通信端末における操作内容を把握する手段として、各通信端末の操作ログを取得して管理モニタに表示することも考えられる。しかしながら、操作ログは基本的に文字情報であるため、操作ログから操作の内容を把握するには文字情報を理解するために多少の時間が必要となり、視覚に基づく直感的な理解が困難な面があった。
【０００７】
このような不都合を解消するために、例えば、管理モニタに一覧化して表示されている画像データ（通信端末のモニタに表示されているもの）を指定して拡大表示を行わせることにより、その視認性を高めることも考えられる。しかしながら、拡大表示を行った場合でも画面データ中のカーソルは小さく、そのカーソルの位置から情報ファイルに対する具体的な操作内容を把握することは困難であった。
【０００８】
本発明の目的は、情報ファイルに接続する通信端末を即座に把握できるシステムを合理的に構成する点にある。
【課題を解決するための手段】
【０００９】
本発明の特徴は、通信ネットワークに接続する複数の通信端末の操作情報を、この通信ネットワークに接続する管理サーバ側の管理モニタに表示するネットワーク管理システムにおいて、
前記管理サーバ側には、情報ファイルと、この情報ファイルに接続する通信端末との関係を接続情報として取得する接続情報取得手段を備えると共に、前記情報ファイルに対応するファイル表示情報を取得し、前記通信端末に対応する端末表示情報を取得し、このファイル表示情報と、端末表示情報と、これらを関連付ける関連付け表示とを前記管理モニタに表示する関連付け表示手段を備えている点にある。
【００１０】
この構成によると、管理モニタには、情報ファイルに対応するファイル表示情報と、情報ファイルに接続している（開いている）通信端末の端末表示情報と、これらを関連付ける関連付け表示とが表示されるものとなり、情報ファイルと、その情報ファイルに接続している通信端末とが関連付け表示によって関連付けられていることを視覚によって判別できる。従って、情報ファイルに接続する通信端末を視覚によって即座に把握できるシステムが合理的に構成された。
【００１１】
本発明は、前記通信端末のモニタに表示されている操作画面を受信して保存する操作画面保存手段を備えると共に、前記関連付け表示手段は、前記操作画面保存手段で保存された操作画面を前記端末表示情報として前記管理モニタに表示しても良い。これによると、通信端末のモニタに表示されている操作画面と情報ファイルとが関連付け表示によって関連付けられるものとなり、情報ファイルに接続している通信端末で行われている操作の状況を視覚的に把握できる。
【００１２】
本発明は、前記関連付け表示が、前記ファイル表示情報と、前記操作画面とを結ぶラインイメージで構成されても良い。これによると、ラインイメージにより情報ファイルと通信端末との関連付けが誤りなく把握できる。
【００１３】
本発明は、前記ファイル表示情報が、前記情報ファイルに対応する表示情報として設定される、又は、前記情報ファイルを含むフォルダに対応する表示情報として設定しても良い。これによると、情報ファイルの表示情報、あるいは、情報ファイルを含むフォルダのイメージと関連付けを行える。
【００１４】
本発明は、前記通信端末の操作情報に基づく操作ログを受信して保存する操作ログ保存部を備え、前記接続情報取得手段は、前記操作ログ保存部で保存された操作ログから、通信端末が接続する情報ファイルのファイル名を含むファイル情報を取得しても良い。これによると、通信端末の操作ログに基づいて、その通信端末が接続する情報ファイルを識別し、関連付け表示手段による表示を実現できる。
【００１５】
本発明は、前記接続情報取得手段が、前記通信ネットワークに接続するファイルサーバから、このファイルサーバに保存されている情報ファイルに接続中の通信端末の端末識別情報と、その通信端末が接続している情報ファイルのファイル名を含むファイル情報とを取得しても良い。これによると、ファイルサーバの情報ファイルに接続している通信端末の端末識別情報を取得する場合には、ファイルサーバにアクセスして情報ファイルに接続中の通信端末の端末識別情報と、ファイル名を含むファイル情報とを取得できるため、操作ログを取得しなくとも、情報ファイルのファイル名と、その情報ファイルに接続している通信端末の識別情報を取得し、関連付け表示手段による表示を実現できる。
【００１６】
本発明の特徴は、通信ネットワークに接続する複数の通信端末の操作情報を、この通信ネットワークに接続する管理サーバ側の管理モニタに表示するネットワーク管理用プログラムにおいて、
情報ファイルと、この情報ファイルに接続する通信端末の関係を接続情報として取得する接続情報取得機能をコンピュータによって実現すると共に、前記情報ファイルに対応するファイル表示情報を設定し、前記通信端末に対応する端末表示情報を設定し、このファイル表示情報と、端末表示情報と、これらを関連付ける関連付け表示とを前記管理モニタに表示する関連付け表示機能をコンピュータによって実現する点にある。
【００１７】
この構成によると、管理モニタには、情報ファイルに対応するファイル表示情報と、情報ファイルに接続する通信端末に対応する端末表示情報と、これらを関連付ける関連付け表示とが表示されるものとなり、情報ファイルと、その情報ファイルに接続している通信端末とが関連付け表示によって関連付けられていることを視覚によって判別できる。従って、情報ファイルに接続する通信端末を視覚によって即座に把握できるプログラムが得られた。
【発明を実施するための最良の形態】
【００１８】
以下、本発明の実施形態を図面に基づいて説明する。
〔ネットワーク管理システム〕
図１に示すように、コンピュータで成る管理サーバＡと、この管理サーバＡを制御するコンピュータで成る管理端末Ｂと、コンピュータで成る複数の通信端末Ｃ（クライアントＰＣ）と、ファイルサーバＤとが通信ネットワークＬで接続されている。この通信ネットワークＬでは管理サーバＡと管理端末Ｂとでネットワーク管理システムが構成されている。
【００１９】
前記通信ネットワークＬは、企業や学校等の限られた施設内において情報を物理的に送るケーブルと、ＬＡＮスイッチやハブ等で成る中継器等を備えたＣＳＭＡ／ＣＤ（Carrier Sense Multiple Access with Collision Detection）方式のイーサネット（Ethernet）（商標）型のＬＡＮとして構築されたものであるが、この通信ネットワークＬとしてイーサネット型のＬＡＮ以外に、インターネットの技術を用いたイントラネットで構築されるものや、ＷＡＮ（Wide Area Network）の技術によって構築されるものでも良い。
【００２０】
前記管理サーバＡは、コンピュータ本体１、サーバモニタ２、キーボード３、マウスＭ等を備え、前記管理端末Ｂはコンピュータ本体４、管理モニタ５、キーボード６、トラックパッドＴ、マウスＭ等を備え、前記通信端末Ｃは、コンピュータ本体７、モニタ８、キーボード９、トラックパッドＴ、マウスＭ等を備えている。
【００２１】
管理端末ＢではマウスＭとトラックパッドＴとキーボード６のカーソルキーとがポインティングデバイスとして機能し、これと同様に通信端末Ｃにおいても、マウスＭとトラックパッドＴとキーボード９のカーソルキーとがポインティングデバイスとして機能する。ポインティングデバイスはこれらに限るものではなく、トラックボールを用いることや、管理モニタ５や、モニタ８の表示面にタッチパネルを形成し、タッチパネルを用いる等様々な機能のものの使用が可能である。
【００２２】
このネットワーク管理システムでは、複数の通信端末Ｃのモニタ８に表示される操作画面Ｇ（デスクトップに表示されたイメージ）と、通信端末Ｃの操作ログとを通信ネットワークＬを介して管理サーバＡが取得し、管理に必要な処理を行う。この管理サーバＡによって管理に必要な処理で生成された情報は、前記サーバモニタ２に表示可能であるが、この情報は管理サーバＡが通信ネットワークＬに送り出され管理サーバＡが受信することにより、この管理端末Ｂの管理モニタ５に表示される。尚、管理サーバＡによって管理に必要な処理を前記サーバモニタ２に表示する場合には、このサーバモニタ２が管理モニタとして機能する。
【００２３】
具体的な表示形態として、管理画面４０（図３を参照）が管理モニタ５に表示され、この管理画面４０において操作画面Ｇ、操作ログ、紐付け表示（情報ファイルと通信端末との接続関係を示す関連付け表示）等の情報を、後述するように表示する。
【００２４】
本発明のネットワーク管理システムでは、前記操作情報が、操作画面Ｇと操作ログとを含んでおり、通信ネットワークＬに送信される操作画面Ｇ、及び、操作ログには、通信端末Ｃを識別する端末識別情報と、取得した日時情報とが与えられる。尚、端末識別情報としては通信時に端末を識別するために用いられるＭＡＣアドレスやＩＰアドレスを想定しているが、通信端末毎に任意に設定したユニークな識別情報を用いても良い。
【００２５】
〔システムの制御系・通信端末〕
これらの表示を実現する制御系の概要を図２のように示すことが可能である。つまり、通信端末Ｃは、モニタ８に必要な情報をアイコン等のイメージで表示することによりアプリケーション１１の実行を制御するＧＵＩ部１２を備えると共に、このアプリケーション１１の実行時にモニタ８に表示された画像（デスクトップの画像）を操作画面Ｇとして取得する操作画面取得部１３と、操作ログを取得する操作ログ取得部１４と、この操作ログ取得部からの操作ログと操作画面とを通信ネットワークＬから管理サーバに送信する情報送受信ユニット１５とを備えている。
【００２６】
前記操作画面取得部１３は１秒間に１コマ程度の操作画面を取得すると共に、取得した操作画面Ｇを、ＪＰＥＧ形式（Joint Photographic Experts Groupが制定した形式）等の形式に圧縮処理を行う。また、操作ログ取得部１４は、設定されたインターバル毎に、あるいは、イベント発生時に取得した操作ログを取得する。前述したように操作画面と操作ログとを併せたものを操作情報と称している。従って、この操作情報は、前記インターバル毎に、通信端末Ｃを識別する端末識別情報と操作画面Ｇと操作ログの取得日時を特定する日時情報を与えて情報送受信ユニット１５から管理サーバＡに送信されることになる。
【００２７】
尚、これら操作画面取得部１３と、操作ログ取得部１４とは、ソフトウエアで構成されるものであるが、をソフトウエアとハードウエアとの組み合わせで構成して良く、ロジック等を組み合わせたハードウエアのみで構成しても良い。
【００２８】
〔管理サーバ〕
前記管理サーバＡは、通信ネットワークＬに対して情報の送受信を行う情報送受信ユニット２１を備えると共に、この情報送受信ユニット２１で受信した操作情報から操作画面Ｇを取得してメモリやハードディスクＨＤに保存する操作画面保存手段２２と、操作情報から操作ログを取得してメモリやハードディスクＨＤに保存する操作ログ保存部２３とを備え、操作画面保存手段２２からの操作画面Ｇを一覧化した情報を生成する一覧化処理手段２２Ａと、操作ログ保存部２３からの操作ログを表示可能な情報を生成する表示化処理手段２３Ａと、これらからの情報に基づいて前記管理画面４０を生成する管理画面生成手段２４とを備えている。
【００２９】
この管理サーバＡは、前記操作ログ保存部２３で保存され操作ログから前記ファイルサーバＤの情報ファイルと、この情報ファイルに接続している（開いている）通信端末Ｃの端末識別情報と、接続日時とを接続情報として取得する接続情報取得手段２５（接続情報取得機能の一例）と、この接続情報に基づいて関連付け情報を設定する関連付け設定手段２６（関連付け設定機能の一例）と、関連付けの表示形態を設定する表示モード設定手段２７と、情報ファイルと通信端末Ｃとの関連付けを行う関連付けイメージ生成手段２８とを備えている。この関連付けイメージ生成手段２８は前記関連付け設定手段２６からの情報を受け、前記操作画面保存手段２２と、前記管理画面生成手段２４との間で情報のアクセスを行う。関連付け設定手段２６と関連付けイメージ生成手段２８とが関連付け表示手段として機能すると共に、関連付け表示機能を構成するものであり、関連付け設定手段２６に関連する処理は後述する。
【００３０】
この管理サーバＡには、前記管理画面生成手段２４と関連付けイメージ生成手段２８とから情報をサーバモニタ２に出力する、又は、前記情報送受信ユニット２１から前記管理端末Ｂに送り出す画像出力ユニット２９を備えている。更に、この管理サーバＡには、キーボード３やマウスＭ等からの操作情報をサーバモニタ２に反映させながら操作情報の入力を実現するＧＵＩ部３０を備えている。
【００３１】
尚、操作画面保存手段２２と、操作ログ保存部２３と、一覧化処理手段２２Ａと、表示化処理手段２３Ａと、管理画面生成手段２４と、接続情報取得手段２５と、関連付け設定手段２６と、表示モード設定手段２７と、関連付けイメージ生成手段２８とはソフトウエア（プログラム）で構成されるものであるが、これらをソフトウエアとハードウエアとの組み合わせで構成して良く、ロジック等を組み合わせたハードウエアのみで構成しても良い。
【００３２】
〔管理端末〕
前記管理端末Ｂは、通信ネットワークＬに対して情報の送受信を行う情報送受信ユニット３２と情報のアクセスを行い、処理された情報を前記管理モニタ５に表示する情報処理部３３を備え、キーボード６やマウスＭ等からの操作情報を管理モニタ５に反映させながら情報処理部に入力する実現するＧＵＩ部３４を備えている。
【００３３】
図２では、管理サーバＡでの処理情報を管理端末Ｂが受信して管理モニタ５に表示する処理形態としているが、同図に示す構成の一部を管理端末Ｂに備えることにより、この管理サーバＡで一部の処理を行い、管理端末Ｂにおいて残りの一部の処理を行うように構成しても良い。
【００３４】
尚、この情報処理部３３は、ソフトウエアで構成されるものであるが、これらをソフトウエアとハードウエアとの組み合わせで構成して良く、ロジック等を組み合わせたハードウエアのみで構成しても良い。
【００３５】
〔ファイルサーバ〕
前記ファイルサーバＤは、通信ネットワークＬに対して情報の送受信を行う情報送受信ユニット３６を備えると共に、この情報送受信ユニット３６を介して情報のアクセスを行い、かつ、情報ファイルを保存する情報保存部３７と、接続情報保存部３８と、この接続情報保存部３８に保存されている接続情報を送信する接続情報送信部３９とを備えている。
【００３６】
前記情報保存部３７はハードディスク等のストレージを備えており、前記接続情報保存部３８は、情報保存部３７の情報ファイルに接続した通信端末Ｃを識別する端末識別情報（ＭＡＣアドレスやＩＰアドレス等）と、その通信端末Ｃが接続した情報ファイルを特定するファイル特定情報（例えばファイル名）とをアクセスログとして保存する機能を有するものを想定しており、前記接続情報送信部３９は、接続情報保存部３８に保存されているアクセスログに基づいて現在接続状態にある通信端末Ｃの端末識別情報と、その通信端末Ｃが接続している情報ファイルのファイル特定情報と、接続日時情報とを接続情報として、接続情報の要求を行った管理サーバＡに送信する処理を行う。
【００３７】
このファイルサーバＤは、通信ネットワークＬにおいて通信端末Ｃから接続可能な情報ファイルを保存する機能を有するサーバ全般を指すものであり、情報ファイルとしては文書データの他に、ＣＡＤデータや画像データ等を含んでいる。
【００３８】
〔管理画面〕
前記管理画面４０は、図３に示すように上部位置に画面再生ボタン４１、ログ閲覧ボタン４２、紐付け表示ボタン４３、ＰＣ情報ボタン４４、リモート制御ボタン４５、アラート設定ボタン４６等がアイコンの形で表示され、この管理画面４０の下部には操作画面表示領域４０Ａと、メッセージ表示部４０Ｂと、端末一覧表示部４０Ｃとが形成されている。
【００３９】
この管理画面４０では、カーソルＣｕの操作によって必要とする操作を実現するものであり、このカーソルＣｕを用いて前記画面再生ボタン４１を操作することで操作画面Ｇが動画の形式で再生表示され、ログ閲覧ボタン４２を操作することで操作ログの一覧表示が行われ、紐付け表示ボタン４３を操作することで、紐付け表示が行われ（図６、図７を参照）、ＰＣ情報ボタン４４を操作することで通信端末ＣのＰＣ情報が表示され、リモート制御ボタン４５を操作することで通信端末Ｃを指定した状態でのリモート制御が実現する。
【００４０】
操作画面表示領域４０Ａには複数の矩形の表示フレームＥの内部領域に操作画面Ｇを表示しており、この表示フレームＥの下部には通信端末Ｃを特定する識別情報や通信端末Ｃを操作するユーザの名前等の情報を表示する情報表示部Ｅａが形成されている。また、前記メッセージ表示部４０Ｂには、処理に必要な情報が表示され、前記端末一覧表示部４０Ｃには通信ネットワークＬに接続している通信端末Ｃの情報が一覧化して表示される。
【００４１】
前述したように操作画面取得部１３が１秒間に１コマ程度の操作画面Ｇを取得して管理サーバＡに送信するため、操作画面表示領域４０Ａに表示される操作画面Ｇは１秒程度の時間間隔で更新され、リアルタイムで操作の状況を表すものとなる。これにより、その通信端末Ｃで行われている操作の内容を把握できるばかりでなく、操作のリスクの有無の判断も可能にしている。
【００４２】
〔紐付け表示の処理形態〕
前記紐付け表示とは、情報ファイルに対応する表示情報（ファイル表示情報の一例）と、その情報ファイルに接続している通信端末Ｃに対応する端末表示情報とを視覚的に関連付けて表示する関連付け表示の具体例である。
【００４３】
その処理形態としては、管理サーバＡがファイルサーバＤ内に存在するファイルの表示を行った際に、管理モニタ５（サーバモニタ２でも良い）に対して図４に示す紐付け表示画面６０を表示し、その紐付け表示画面６０において紐付け表示を行う直接表示出力と、前記管理画面４０の紐付け表示ボタン４３を操作した場合に、図９又は図１０に示す紐付け表示画面６０を表示し、その紐付け表示画面６０において紐付け表示を行う管理表示出力との２種の表示出力の何れかでの表示が可能である。
【００４４】
更に、何れの表示出力であっても、管理サーバＡが通信ネットワークＬを介して各通信端末Ｃから操作ログを取得し、その操作ログから情報ファイルに接続している通信端末Ｃを特定し、情報ファイルと通信端末Ｃとの関連付けを行う第１の処理形態と、管理サーバＡが通信ネットワークＬを介してファイルサーバＤの接続情報保存部３８の情報を取得し、その情報から通信端末Ｃとの関連付けを行う第２の処理形態との実行が可能であり、夫々の処理形態を以下に説明する。
【００４５】
〔直接表示出力における第１の処理形態〕
管理端末Ｂからの操作に基づいて、管理サーバＡがファイルサーバＤに接続（アクセス）した場合には、図４に示す紐付け表示画面６０が表示され、この画面での操作に対応してファイルイメージＦ（ファイル表示情報）と操作画面Ｇ（端末表示情報）とを直線的に結ぶ位置に関連付け表示としてラインイメージＳが表示される。この紐付け表示画面６０は、例えば、ネットワーク上に表示されているファイルサーバＤをカーソルで選択してクリックした場合に表示されるものを想定しているが、何らかのアプリケーションを起動し、「ファイルを開く」等の操作によりネットワーク上のファイルサーバＤを指定した場合に表示されるものであっても良い。
【００４６】
この紐付け表示画面６０には、ファイル指定領域６０Ｓと、ファイル表示領域６０Ｔと、操作画面表示領域６０Ｕとが形成されている。図５のフローチャートに示す紐付け表示ルーチンでは、管理サーバＡがファイルサーバＤに接続することにより、管理モニタ５に紐付け表示画面６０が表示され、この紐付け表示画面６０のファイル指定領域６０Ｓに対して、ファイルサーバＤのアイコンと、このファイルサーバＤに含まれるフォルダのアイコンとが階層に対応したツリー形式でフォルダ名とともにが表示される。このファイル指定領域６０Ｓにおいてカーソル等でフォルダを選択操作することにより、そのフォルダに含まれる（下層となる）情報ファイルのアイコンが階層に対応したツリー形式でファイル名とともに表示される（＃１０１、＃１０２ステップ）。
【００４７】
このようにファイル指定領域６０Ｓに対して、情報ファイルが表示（更新を含む）された場合には、夫々の情報ファイルのファイル名が取得され、これに対応する情報ファイルを表示対象に設定する（＃１０３ステップ）。
【００４８】
次に、表示対象に設定された情報ファイルに対して接続状態にある端末識別情報を操作ログから取得し、対応する通信端末Ｃを表示対象に設定する（＃１０４ステップ）。
【００４９】
この処理では、接続情報取得手段２５が、操作ログ保存部２３で保存されている操作ログに基づいて通信ネットワークＬに接続する全ての通信端末Ｃの操作ログのチェックを行い、日時情報から現時点において、ファイルサーバＤに接続している通信端末Ｃを特定すると共に、その通信端末Ｃが接続している情報ファイル名のうち、表示対象に設定されている情報ファイルの情報ファイル名と一致する情報ファイルと接続する端末識別情報を取得することにより、端末識別情報に対応する通信端末Ｃを特定し、その通信端末Ｃを表示対象に設定することになる。
【００５０】
次に、表示対象に設定された情報ファイルのファイルイメージＦ（ファイル表示情報）がファイル表示領域６０Ｔに表示されると共に、表示対象に設定された通信端末Ｃの操作画面Ｇ（端末表示情報）が操作画面表示領域６０Ｕに表示され、更に、このファイルイメージＦと、これに接続状態にある操作画面Ｇとの間に直線的にラインイメージＳが表示される（＃１０５ステップ）。
【００５１】
この＃１０３〜＃１０５ステップの処理では、表示対象に設定された情報ファイルのファイルイメージＦと、表示対象に設定された通信端末Ｃの操作画面Ｇとが関連付けイメージ生成手段２８によって表示されると共に、このように表示されたファイルイメージＦと操作画面Ｇとのうち、前記関連付け設定手段２６で関連付けが行われた（接続関係にあることが判定された）ファイルイメージＦと操作画面Ｇとの間に対して、関連付けイメージ生成手段２８が関連付け表示としてラインイメージＳを生成して表示するのである。
【００５２】
これらの処理は、＃１０２ステップに示すように、表示は紐付け表示画面６０において情報ファイルが新たに（更新される形態で）表示される毎に行われ、紐付け表示画面６０を閉じる操作が行われるまで継続する（＃１０６ステップ）。
【００５３】
ファイルイメージＦ（ファイル表示情報）は、ファイルの属性を表すアイコン、あるいは、ファイル名を想定しているが、ファイルの内容やファイルに関連する情報をイメージ化（文字情報を含む）したものであっても良い。このファイルイメージにはファイル名を含めて表示するものであるが、このファイルが存在する階層を示すパスをファイル名とともに表示しても良い。
【００５４】
また、通信端末Ｃに対応する端末表示情報として、その通信端末Ｃの操作画面Ｇを表示フレームＥとともに表示し、情報表示部Ｅａにユーザの名前等を表示しているが、これに代えて、操作画面Ｇを表示しないで通信端末Ｃを操作するユーザの名前だけを表示することや、ユーザの肖像と名前等を表示しても良い。
【００５５】
〔直接表示出力における第２の処理形態〕
この直接表示出力における第２の処理形態を図６のフローチャートに示している。この第２の処理形態は、先に説明した第１の処理形態の図５のフローチャートの＃１０４ステップが異なるだけで、他のステップの処理は、前述した直接表示出力における第１の処理形態と同じものである。
【００５６】
つまり、この第２の処理形態においても直接表示出力における第１の処理形態と同様に、＃１０１〜＃１０３では、管理サーバＡがファイルサーバＤにアクセスした場合には、図４に示す紐付け表示画面６０を管理モニタ５のデスクトップに表示し、そのファイル指定領域６０Ｓに対して、ファイルサーバＤのアイコンと、フォルダのアイコンと、操作ファイルのアイコンとを階層に対応したツリー形式で表示する。そして、このようにファイル指定領域６０Ｓに対して、情報ファイルが表示された場合には、夫々の情報ファイルのファイル名が取得され、これに対応する情報ファイルを表示対象に設定する。
【００５７】
次に、表示対象に設定された情報ファイルのうち、接続状態にある端末識別情報をアクセスログから取得し、対応する通信端末Ｃを表示対象に設定する（＃１０４ステップ）。
【００５８】
ファイルサーバＤの接続情報保存部３８は、前述したように情報保存部３７に情報ファイルに接続した通信端末Ｃの端末識別情報（ＭＡＣアドレスやＩＰアドレス等）と、その通信端末Ｃが接続した情報ファイルのファイル特定情報（例えばファイル名）とをアクセスログとして保存するものであり、前記接続情報送信部３９は、この接続情報保存部３８から現在接続状態にある通信端末Ｃの端末識別情報と、その通信端末Ｃが接続した情報ファイルのファイル特定情報とを、接続情報の要求を行った管理サーバＡに送信する処理を実行する。
【００５９】
従って、管理サーバＡが、ファイルサーバＤから現在接続状態にある通信端末Ｃの端末識別情報と、その通信端末Ｃが接続した情報ファイルのファイル特定情報とを取得した後には、表示対象に設定されている情報ファイルに接続している通信端末Ｃに対応する端末識別情報を取得することにより、端末識別情報に対応する通信端末を特定し、表示対象に設定する処理が行われるのである。
【００６０】
次に、ファイル指定領域６０Ｓに表示された情報ファイルに対応するファイルイメージＦがファイル表示領域６０Ｔに表示されると共に、前記情報ファイルに接続する通信端末Ｃの操作画面Ｇが操作画面表示領域６０Ｕに表示され、ファイルイメージＦと、これに接続状態にある操作画面Ｇとの間にラインイメージＳが直線的に表示され、この表示を紐付け表示画面６０を閉じる操作が行われるまで継続するのである（＃１０５、＃１０６ステップ）。
【００６１】
この処理においても、ファイルイメージＦのアイコンの表示形態や操作画面Ｇの表示形態は第１の処理形態で説明したものと同様に様々なものの選択が可能である。
【００６２】
〔管理表示出力における第１の処理形態〕
図８のフローチャートに示すように、前記管理画面４０の紐付け表示ボタン４３を操作した場合には、図７に示す指定ダイアログ５０が表示され、この指定ダイアログ５０において人為的に表示形態を設定することにより、設定された表示モードが取得される（＃１０１〜＃１０３ステップ）。
【００６３】
前記指定ダイアログ５０は、前記表示モード設定手段２７の処理によって実現するものであり、この指定ダイアログ５０は、ファイルサーバＤの情報ファイルを指定するファイル指定ボタン５１と、通信端末Ｃを指定する端末指定ボタン５２と、通信ネットワークＬに接続する通信端末ＣのうちファイルサーバＤの情報ファイルに接続する全てのものを指定する全指定ボタン５３と、このファイル指定ボタン５１と端末指定ボタン５２とのいずれかが操作された際に、指定すべき対象が表示される表示部５４と、この指定を行う際に情報ファイル名や通信端末名から検索を行う指定入力部５５と、検索を実行する検索ボタン５５Ａと、キャンセルボタン５６と、ＯＫボタン５７とが形成されている。
【００６４】
この指定ダイアログ５０のファイル指定ボタン５１をカーソルで選択して操作した場合には、表示部５４に対して前記ファイルサーバＤに保存されている情報ファイルのファイル名がツリー形式や階層表示形式等で一覧化して表示され、このように表示されたものから１つ又は複数をカーソルで指定し、ＯＫボタン５７を操作することで指定が完了する。尚、この指定を行う際に指定入力部５５においてファイル名を入力して検索を行っても良い。
【００６５】
また、端末指定ボタン５２を操作した場合には、通信ネットワークＬに接続している通信端末Ｃの端末名（ユーザ名でも良い）を表示部５４に対して一覧化して表示され、このように表示されたものから１つ又は複数をカーソルで指定し、ＯＫボタン５７を操作することで指定が完了する。尚、この指定を行う際に指定入力部５５において端末名（ユーザ名でも良い）を入力して検索を行っても良い。そして、キャンセルボタン５６を操作することで処理が中止される。
【００６６】
次に、接続情報取得手段２５が、操作ログ保存部２３で保存された操作ログに基づいてファイルサーバＤの情報ファイルに接続状態にある（接続中である）通信端末Ｃの端末識別情報と、その通信端末Ｃが接続しているファイル名（ファイル特定情報）との情報（接続情報）を取得する（＃１０４ステップ）。
【００６７】
この処理では、接続情報取得手段２５が通信ネットワークＬに接続する全ての通信端末Ｃの操作ログのチェックを行い、日時情報から、その端末が現時点においてファイルサーバＤに接続していることを判別したものについて、接続している情報ファイル名を取得し、この情報ファイル名と、これに接続する端末識別情報とを関連付けて接続情報として保存する処理が行われる。
【００６８】
次に、指定ダイアログ５０で、ファイル指定ボタン５１が操作され、ファイル指定モードにある場合には、この指定ダイアログ５０で指定された情報ファイルが表示対象にセットされると共に、この情報ファイルに接続状態にある通信端末Ｃの存否が前記接続情報に基づいて判定され、このように判定された通信端末Ｃが表示対象にセットされる（関連付け設定手段２６の処理・＃１０５、＃１０６ステップ）。
【００６９】
また、指定ダイアログ５０で、端末指定ボタン５２が操作され、端末指定モードである場合には、この指定ダイアログ５０で指定された通信端末Ｃが表示対象にセットされると共に、この通信端末Ｃに接続状態にある情報ファイルの存否が前記接続情報に基づいて判定され、このように判定された情報ファイルが表示対象にセットされる（関連付け設定手段２６の処理・＃１０７、＃１０８ステップ）。
【００７０】
また、指定ダイアログ５０で、全指定ボタン５３が操作され、全ての通信端末Ｃが指定された場合には、この指定ダイアログ５０で指定された（全ての）通信端末Ｃと、これに接続する情報ファイルとが表示対象にセットされる（関連付け設定手段２６の処理・＃１０９ステップ）。
【００７１】
このように関連付けが行われた後には、関連付けイメージ生成手段２８が情報ファイルに対応したファイルイメージＦを設定すると共に、通信端末Ｃに対応する端末表示情報として操作画面Ｇを取得し、接続関係にあるものを直線的に結ぶ位置に関連付け表示としてラインイメージＳを生成し、図９あるいは図１１に示す紐付け表示画面６０において紐付け表示を行う（＃１１０ステップ）。
【００７２】
具体的に説明すると、表示モードがファイル指定モードである場合には、図９に示すように、紐付け表示画面６０に対して、指定された全ての情報ファイルに対応するファイル表示情報としてアイコンで成るファイルイメージＦが表示されると共に、このファイルイメージＦと並列する位置に通信端末Ｃの操作画面Ｇが表示フレームＥとともに表示され、接続状態にあるものについては、関連付け表示としてのラインイメージＳによって紐付けされる。
【００７３】
特に、このファイル指定モードでは、指定された全てのファイルイメージＦを紐付け表示画面６０に常に表示し、接続状態が維持されている時間だけ通信端末Ｃの操作画面Ｇを表示してラインイメージＳで紐付けするものであるが、接続状態にない通信端末Ｃの操作画面Ｇを表示しない点に表示上の特徴がある。
【００７４】
また、表示モードが端末指定モードである場合には、図１０に示すように、紐付け表示画面６０に対して、指定された全ての通信端末Ｃの操作画面Ｇが表示フレームＥとともに表示されると共に、この操作画面Ｇと並列する位置にファイルイメージＦが表示され、接続状態にあるものについては、ラインイメージＳによって紐付けされる。
【００７５】
特に、この端末指定モードでは、指定された全ての通信端末Ｃの操作画面Ｇを紐付け表示画面６０に常に表示し、接続状態が維持されている時間だけ情報ファイルのファイルイメージＦを表示してラインイメージＳで紐付けするものであるが、接続状態にないファイルイメージＦを表示しない点に表示上の特徴がある。
【００７６】
更に、前記全指定モードでは、紐付け表示画面６０に対して、基本的には全ての通信端末Ｃを基準にした表示が行われるため、前記端末指定モードにおいて全ての端末を指定したものと等しい表示が行われる。
【００７７】
この全指定モードでは、紐付け表示画面６０に表示し切れないファイルイメージＦや操作画面Ｇはスクロールバー６１の操作によって表示可能となる。これと同様に、ファイル指定モードでも端末指定モードでも紐付け表示画面６０に表示し切れないファイルイメージＦや操作画面Ｇはスクロールバー６１の操作によって表示できる。
【００７８】
この表示は、紐付け表示画面６０に対する関連付け表示がリセットされるまで継続される（＃１１１ステップ）。
【００７９】
このファイル指定モードと、端末指定モードと、全指定モードとにおいて表示される操作画面Ｇは前述したものと同様に、１秒程度の時間間隔で更新されるものであるため、その通信端末Ｃで行われている操作をリアルタイムで把握でき、その通信端末Ｃが接続する情報ファイルに対する操作のリスクの有無の判断も可能となる。
【００８０】
この紐付け表示画面６０は、前記管理画面４０の操作画面表示領域４０Ａの領域に代えて表示されるものであるが、この操作画面表示領域４０Ａに代えて表示するもの以外に、管理画面４０と重複する位置に表示されるものであっても良い。
【００８１】
ファイルイメージＦは、ファイルの属性を表すアイコンを想定しているが、ファイルの内容やファイルに関連する情報をイメージ化したものであっても良い。このファイルイメージにはファイル名が併せて表示されるものであるが、このファイルが存在する階層を示すパスをファイル名とともに表示しても良い。
【００８２】
また、通信端末Ｃに対応する端末表示情報として、その通信端末Ｃの操作画面Ｇを表示フレームＥとともに表示しているが、これに代えて、通信端末Ｃを操作するユーザの名前だけを表示することや、ユーザの肖像と名前等を表示しても良い。
【００８３】
〔管理表示出力における第２の処理形態〕
この管理表示出力における第２の処理形態を図１１のフローチャートに示している。この第２の処理形態は、先に説明した第１の処理形態の図８のフローチャートの＃１０４ステップが異なるだけで、他のステップの処理は第１の処理形態と同じものである。
【００８４】
つまり、この管理表示出力における第２の処理形態では、図１１のフローチャートに示すように、前述した紐付け表示ルーチンにおける＃１０１〜＃１０３ステップと同様に、指定ダイアログ５０において情報ファイルあるいは通信端末Ｃを指定する操作が終了した後には、管理サーバＡが接続情報を要求する情報をファイルサーバＤに送信する。これを受信したファイルサーバＤでは、接続情報保存部３８に保存されている接続情報を、接続情報送信部３９が管理サーバＡに対して送信する。この接続情報を管理サーバＡで受信すると、接続情報取得手段２５が接続情報を取得し、指定されたものだけを抽出する（＃１０４ステップ）。
【００８５】
ファイルサーバＤの接続情報保存部３８は、前述したように、情報保存部３７に情報ファイルに接続した通信端末Ｃの端末識別情報（ＭＡＣアドレスやＩＰアドレス等）と、その通信端末Ｃが接続した情報ファイルのファイル特定情報（例えばファイル名）とをアクセスログとして保存するものであり、前記接続情報送信部３９は、この接続情報保存部３８から現在接続状態にある通信端末Ｃの端末識別情報と、その通信端末Ｃが接続した情報ファイルのファイル特定情報とを、接続情報の要求を行った管理サーバＡに送信する処理を実行する。
【００８６】
このようにファイルサーバＤから接続情報を取得した場合には、＃１０１〜＃１０３ステップでの処理において指定された情報ファイルに対応するファイル特定情報、あるいは、通信端末Ｃに対応する端末識別情報と、受信した接続情報に含まれる端末識別情報とファイル特定情報との比較を行い、接続情報取得手段２５が表示対象に含まれるものを抽出する。
【００８７】
この処理の後には、ファイル指定ボタン５１、端末指定ボタン５２、全指定ボタン５３のうち操作されたボタンに対応する表示モードを設定し（＃１０５〜＃１０９ステップ）、前述したように図９、図１１に示すように紐付け表示画面６０を表示して紐付け表示を行い（＃１１０ステップ）、この表示は、紐付け表示画面６０に対する関連付け表示がリセットされるまで継続する（＃１１１ステップ）。
【００８８】
〔発明の概念〕
このように、本発明では、通信ネットワークＬに接続する複数の通信端末ＣがファイルサーバＤの情報ファイルに接続している場合に、その情報ファイルのファイルイメージＦと、その情報ファイルに接続している通信端末Ｃの操作画面ＧとをラインイメージＳを介して紐付けする形態で表示することにより、情報ファイルに接続中の通信端末Ｃを視覚的に容易に把握できるものにしている。
【００８９】
また、通信端末Ｃに対応する端末表示情報として、その通信端末Ｃで現在行われている状況をリアルタイムで示す操作画面Ｇを表示フレームＥとともに表示することにより、その通信端末Ｃで行われている操作の内容と、情報ファイルとの操作の関連性を視覚によって確認できるものとなり、例えば、重要な情報ファイルに接続している通信端末Ｃにおける操作の状況を監視することも可能となる。
【００９０】
更に、ファイルサーバＤに保存されている情報ファイルには、秘匿性の高く、情報ファイルに対する処理形態（単なる閲覧、内容の複写、内容を改竄する操作）等の操作形態の監視を必要とするものも存在する。このような情報ファイルを監視する場合には、ファイル指定モードによって情報ファイルを指定して紐付け表示を実行することにより、秘匿性の高い情報ファイルに対する操作も的確に監視できる。
【００９１】
これと異なる観点として、操作が未熟なユーザが操作する通信端末Ｃの操作の状況を把握する際には、端末指定モードによって端末を指定して紐付け表示を実行することにより、管理すべきユーザが操作する通信端末Ｃでの操作を的確に管理できるものとなる。
【００９２】
〔別実施形態〕
本発明は、上記した実施の形態以外に以下のように構成しても良い。
【００９３】
（ａ）前記管理画面４０の操作画面表示領域４０Ａに表示された操作画面Ｇのうち、表示対象とするものをカーソルＣｕで選択（指定）した後に、前記紐付け表示ボタン４３を選択して操作することにより、指定ダイアログ５０を表示することなく、ファイル指定モードでの表示を行うように処理形態を設定しても良い。
【００９４】
このファイル指定モードによる処理形態を図１２のフローチャートに示している。つまり、操作画面Ｇの選択の後に紐付け表示ボタン４３が操作された場合には、接続情報取得手段２５が、操作ログ保存部２３で保存された操作ログに基づいてファイルサーバＤの情報ファイルに接続状態にある（接続中である）通信端末Ｃの端末識別情報と、その通信端末Ｃが接続しているファイル名とを取得する処理（管理表示出力における第１処理形態と同様の処理）、又は、ファイルサーバＤの情報保存部３７の情報ファイルに接続している通信端末Ｃの端末識別情報を接続情報保存部３８から取得する処理（管理表示出力における第２処理形態と同様の処理）を行う（＃２０１ステップ）。
【００９５】
次に、表示モードをファイル指定モードに設定すると共に、この指定ダイアログ５０で指定された情報ファイルと、接続情報で判別された通信端末Ｃとを関連付け設定手段２６が表示対象にセットし（＃２０２ステップ）、この後、図９に示したものと同様に紐付け表示画面６０に対して関連付けイメージ生成手段２８が情報ファイルに対応したファイルイメージＦを表示すると共に、これに接続する通信端末Ｃに対応する端末表示情報としての操作画面Ｇを表示し、これらを結ぶ位置にラインイメージＳを表示して紐付けを行う（＃２０３ステップ）。このような表示を、紐付け表示画面６０に対する関連付け表示がリセットされるまで継続される（＃２０４ステップ）。
【００９６】
このような表示形態を設定することにより、指定ダイアログ５０において情報を入力する手間を省き、監視対象とする通信端末Ｃが接続する情報ファイルを即座に表示して効率的な監視を実現する。
【００９７】
（ｂ）図１３（ａ）に示すように、情報ファイルを含むフォルダのアイコンＸ（ファイル表示情報の一例）と通信端末Ｃの操作画面ＧとをラインイメージＳで関連付けて表示し、このフォルダのアイコンＸをカーソルＣｕで選択することにより（例えば、ダブルクリック）、図１３（ｂ）に示すように、フォルダに含まれる情報ファイルのファイルイメージＦ（ファイル表示情報の一例）と、対応する通信端末Ｃの操作画面ＧとをラインイメージＳで関連付けて表示する。このように階層表示が可能な表示形態を採用することにより、紐付け表示画面６０における表示を簡素化できると共に、情報ファイルのディレクトリ等の情報の把握が容易となる。
【００９８】
（ｃ）図１４に示すように、紐付け表示画面６０に情報ファイルのファイルイメージＦと操作画面Ｇとを表示し、このファイルイメージＦと操作画面Ｇとのうち接続状態にあるもの同士を結ぶラインイメージＳを表示すると共に、情報ファイルに接続する通信端末Ｃが多い場合には、この紐付け表示画面６０の外部で表示可能なスペースとなる領域に通信端末Ｃに対応する操作画面Ｇを表示し、これらの間にラインイメージＳを表示するように表示形態を設定する。つまり、操作画面Ｇは通信端末Ｃのモニタ８に表示されている情報であるため、その内容を把握するために適度の表示領域が必要である。このような理由から多くの通信端末Ｃが接続する情報ファイルに対しては管理モニタ５の空いたスペースを有効に利用することにより監視機能を低下させずに関連付け表示を実現するのである。
【００９９】
（ｄ）情報ファイルのファイルイメージＦ（ファイル表示情報）と通信端末Ｃの操作画面Ｇ（端末表示情報）と関連付ける関連付け表示として、ラインイメージＳに代えて、図１５に示すように、ファイルイメージＦ（ファイル表示情報）と通信端末Ｃの操作画面Ｇ（端末表示情報）とを取り囲む領域イメージＳで表示することや、幅の広いベルト状のイメージで結ぶように表示する等、視覚的に明らかな関連付け状態となるものであれば様々な表示形態を採用できる。
【０１００】
（ｅ）図１６（ａ）に示すように、情報ファイルのファイルイメージＦ（ファイル表示情報）をファイル表示画面６５に表示すると共に、通信端末Ｃの操作画面Ｇ（端末表示情報）を端末表示画面６６に表示し、ファイルイメージＦと操作画面Ｇとのうち接続状態にあるもの同士を関連付けるラインイメージＳを表示する。このよう表示されるラインイメージＳはファイル表示画面６５と端末表示画面６６に亘って表示されるものとなる。また、図１６（ｂ）に示すように、ファイルイメージＦと操作画面Ｇとのうち接続状態にあるもの同士を関連付けるラインイメージＳを表示する際に、操作画面Ｇを表示する表示フレームＥの下部の情報表示部Ｅａに対して接続状態にある情報ファイルのファイル名を表示する。このようにファイル名を表示することにより、例えば、ファイル表示画面６５のスクロールバー６５Ａ、あるいは、端末表示画面６６のスクロールバー６６Ａを操作して対応するものが画面に表示されない状況でも接続状態にあることを把握できるものとなる。
【０１０１】
（ｆ）１つの通信端末Ｃが複数の情報ファイルに接続している場合、アクティブ状態にある情報ファイルのファイルイメージＦに関連付けられたラインイメージＳを、非アクティブ状態にあるラインイメージＳより濃く表示することや、太く表示する（非アクティブ状態ではラインイメージＳを非表示にしても良い）。この場合、非アクティブ状態にあるラインイメージＳを消去しても良い。このように表示形態を変更することにより、管理モニタ５における端末の管理、監視を効率的に行える効果を奏する。尚、この別実施形態では関連付け表示としてラインイメージＳを例にして説明したが、ラインイメージＳを異なるものであっても表示の際の濃度や太さの変更等の設定によりアクティブ状態を非アクティブ状態とを示すように表示することで同様の効果を奏することが可能となる。
【０１０２】
（ｇ）例えば、図４、図９、あるいは、図１０のように紐付け表示のために、操作画面Ｇを表示する場合に、この操作画面Ｇのサイズを表示時間の長いものほど大きく表示する。このように大きさを変更することにより、接続時間が長いものを操作画面の大きさから把握できる。
【０１０３】
（ｈ）例えば、図４、図９、あるいは、図１０のように紐付け表示のために、ファイルイメージＦを表示する場合に、情報ファイルに接続している通信端末Ｃの数が多いものほど大きく表示する、あるいは、高い位置（モニタで上側）に表示する。このように表示形態を設定することにより、ファイルイメージＦの表示形態から、その情報ファイルに対する通信端末Ｃの接続数を視覚的に把握できる。
【図面の簡単な説明】
【０１０４】
【図１】通信ネットワークの概要を示す図
【図２】管理サーバと通信端末等との構成を示すブロック回路図
【図３】管理画面を示す図
【図４】紐付け表示画面を示す図
【図５】紐付け表示ルーチンのフローチャート
【図６】紐付け表示ルーチンのフローチャート
【図７】指定ダイアログを示す図
【図８】紐付け表示ルーチンのフローチャート
【図９】ファイル指定モードにおける紐付け表示画面の表示形態を示す図
【図１０】端末指定モードにおける紐付け表示画面の表示形態を示す図
【図１１】紐付け表示ルーチンのフローチャート
【図１２】別実施形態（ａ）の紐付け表示ルーチンのフローチャート
【図１３】別実施形態（ｂ）の表示形態を示す図
【図１４】別実施形態（ｃ）の表示形態を示す図
【図１５】別実施形態（ｄ）の表示形態を示す図
【図１６】別実施形態（ｅ）の表示形態を示す図
【符号の説明】
【０１０５】
２            管理モニタ（サーバモニタ）
５            管理モニタ
８            モニタ
１３          操作画面取得部
２２          操作画面保存手段
２３          操作ログ保存部
２５          接続情報取得手段（接続情報取得機能）
２６、２８    関連付け表示手段（関連付け表示機能）
Ａ            管理サーバ
Ｃ            通信端末
Ｆ            ファイルイメージ（ファイル表示情報）
Ｇ            操作画面（端末表示情報）
Ｌ            通信ネットワーク
Ｓ            ラインイメージ
【図１】
2008276515.tif 000003
【図２】
2008276515.tif 000004
【図３】
2008276515.tif 000005
【図４】
2008276515.tif 000006
【図５】
2008276515.tif 000007
【図６】
2008276515.tif 000008
【図７】
2008276515.tif 000009
【図８】
2008276515.tif 000010
【図９】
2008276515.tif 000011
【図１０】
2008276515.tif 000012
【図１１】
2008276515.tif 000013
【図１２】
2008276515.tif 000014
【図１３】
2008276515.tif 000015
【図１４】
2008276515.tif 000016
【図１５】
2008276515.tif 000017
【図１６】
2008276515.tif 000018